(57)【要約】【課題】電流遮断機構の作動性の低下を抑制することができる二次電池を提供する。【解決手段】二次電池１００は、電池要素１３と、電池要素１３を内部に収容する筐体１０と、筐体１０に取り付けられた外部端子３０Ａと、筐体１０内において電池要素１３に接続された集電体５１と、集電体５１の薄肉部に接続された反転板、および、反転板と外部端子３０Ａとを電気的に接続する導電性部材を含む電流遮断機構と、筐体１０と導電性部材との間に設けられ、筐体１０と導電性部材とを電気的に絶縁する絶縁部材６０Ａと、内部に電池要素１３を収容し、一端側に開口を有しかつ他端側に底部を有する袋状の絶縁フィルム９０と、を備え、絶縁フィルムの底部が、外部端子３０Ａが位置する側と反対側に位置する電池要素１３の端部に当接した状態で、絶縁フィルム９０の一端側が絶縁部材６０Ａに固定されている。【選択図】図４
2017147116.tif 000002
【特許請求の範囲】
【請求項１】
電池要素と、
前記電池要素を内部に収容する筐体と、
前記筐体に取り付けられた外部端子と、
前記筐体内において前記電池要素に接続された集電体と、
中央部が前記集電体の薄肉部に接続された反転板、および、前記反転板を覆うように設けられるとともに前記反転板の周縁部に接続され、前記反転板と前記外部端子とを電気的に接続する導電性部材を含み、前記筐体の内圧が上昇した場合に、前記反転板が前記集電体から離れて前記外部端子に近づくように変形することにより、前記電池要素と前記外部端子との電気的な接続を遮断する電流遮断機構と、
前記筐体と前記導電性部材との間に設けられ、前記筐体と前記導電性部材とを電気的に絶縁する絶縁部材と、
前記筐体の内部に配置されるとともに内部に前記電池要素を収容し、一端側に開口を有しかつ他端側に底部を有する袋状の絶縁フィルムと、を備え、
前記絶縁フィルムの前記底部が、前記外部端子が位置する側と反対側に位置する前記電池要素の端部に当接した状態で、前記絶縁フィルムの前記一端側が前記絶縁部材に固定されている、二次電池。
【発明の詳細な説明】
【技術分野】
【０００１】
本発明は、車両に搭載される二次電池に関する。
【背景技術】
【０００２】
従来の二次電池が開示された文献として、たとえば特開２０１５−１５３４５３号公報（特許文献１）が挙げられる。
【０００３】
特許文献１に開示の二次電池にあっては、外部端子と集電体とを電気的に接続する導電経路に電流遮断機構が配設されている。この電流遮断機構は、二次電池の筐体の内圧が上昇した際に、集電体の薄肉部に接続された反転板が反転することにより、導電経路を遮断する。
【先行技術文献】
【特許文献】
【０００４】
【特許文献１】特開２０１５−１５３４５３号公報
【発明の概要】
【発明が解決しようとする課題】
【０００５】
しかしながら、特許文献１に開示の二次電池にあっては、電池要素は、当該正極集電体および負極集電体によって吊り下げられるように支持された状態で、筐体内に収容されている。
【０００６】
このため、電池要素の自重の全てが、正極集電体および負極集電体に加えられることとなり、反転板が接続される集電体の薄肉部にも相当程度の荷重が加えられる。また、車両の振動により電池要素が振動した場合には、引張応力が、上記薄肉部にさらに加えられる。電池要素の自重および振動による引張応力によって薄肉部が過度に引っ張られる場合には、薄肉部が変形してしまい、電流遮断機構の作動性が低下することが懸念される。
【０００７】
本発明は、上記のような問題に鑑みてなされたものであり、本発明の目的は、電流遮断機構の作動性の低下を抑制することができる二次電池を提供することにある。
【課題を解決するための手段】
【０００８】
この二次電池は、電池要素と、上記電池要素を内部に収容する筐体と、上記筐体に取り付けられた外部端子と、上記筐体内において上記電池要素に接続された集電体と、中央部が上記集電体の薄肉部に接続された反転板、および、上記反転板を覆うように設けられるとともに上記反転板の周縁部に接続され、上記反転板と上記外部端子とを電気的に接続する導電性部材を含み、上記筐体の内圧が上昇した場合に、上記反転板が上記集電体から離れて上記外部端子に近づくように変形することにより、上記電池要素と上記外部端子との電気的な接続を遮断する電流遮断機構と、上記筐体と上記導電性部材との間に設けられ、上記筐体と上記導電性部材とを電気的に絶縁する絶縁部材と、上記筐体の内部に配置されるとともに内部に上記電池要素を収容し、一端側に開口を有しかつ他端側に底部を有する袋状の絶縁フィルムと、を備え、上記絶縁フィルムの上記底部が、上記外部端子が位置する側と反対側に位置する上記電池要素の端部に当接した状態で、上記絶縁フィルムの上記一端側が上記絶縁部材に固定されている。
【０００９】
このような構成とした場合には、外部端子が位置する側とは反対側に位置する電池要素の端部に絶縁フィルムの底部が当接した状態で、絶縁フィルムの一端側が絶縁部材に固定されることにより、電池要素を絶縁フィルムによって支持することができる。これにより、電池要素の荷重を分散することができ、薄肉部に加わる電池要素の荷重を軽減させることができる。また、電池要素を絶縁フィルムによって支持することにより、車両が大きく振動した場合であっても、電池要素が振動することを抑制できる。これにより、振動によって薄肉部に作用する引張応力を抑制することができる。
【００１０】
このように、電池要素の荷重を分散するとともに振動による引張応力を抑制することにより、薄肉部が過度に引っ張られることを抑制することができる。この結果、薄肉部が変形することを抑制でき、電流遮断機構の作動性が低下することを抑制することができる。
【発明の効果】
【００１１】
本発明によれば、電流遮断機構の作動性の低下を抑制することができる二次電池を提供することができる。
【図面の簡単な説明】
【００１２】
【図１】本実施の形態に係る二次電池の概略平面図である。
【図２】本実施の形態に係る二次電池の概略断面図である。
【図３】図１に示すＩＩＩ−ＩＩＩ線に沿った概略断面図である。
【図４】図２に示す絶縁フィルムの固定状態を示す概略断面図である。
【図５】図２に示す絶縁フィルムの固定状態を示す概略平面図である。
【図６】図２に示す絶縁フィルムの展開図である。
【図７】比較例における二次電池の断面図である。
【図８】実施例に係る二次電池および比較例における二次電池の電流遮断機構の作動圧の低下量を示す図である。
【発明を実施するための形態】
【００１３】
以下、本発明の実施の形態について、図を参照して詳細に説明する。なお、以下に示す実施の形態においては、同一のまたは共通する部分について図中同一の符号を付し、その説明は繰り返さない。
【００１４】
（二次電池）
図１は、本実施の形態に係る二次電池の概略平面図である。図２は、本実施の形態に係る二次電池の概略断面図である。図３は、図１に示すＩＩＩ−ＩＩＩ線に沿った概略断面図である。図１から図３を参照して、本実施の形態に係る二次電池１００について説明する。
【００１５】
二次電池１００は、複数個が直列または並列に組み合わされて組電池とされ、電気自動車やハイブリッド自動車等に搭載されている。
【００１６】
図１および図２に示すように、本実施の形態に係る二次電池１００は、筐体１０、電池要素としての電極体１３、負極用の外部端子３０Ｂ、正極用の外部端子３０Ａ、負極用の集電体５０、正極用の集電体５１、および絶縁フィルム９０を備える。
【００１７】
筐体１０は、有底角筒状の収容ケース１５と、収容ケース１５の開口部１６を密閉する封口体２５とを含む。筐体１０は、内部に電極体１３を収容している。外部端子３０Ｂ，３０Ａは、筐体１０の封口体２５に取り付けられている。
【００１８】
電極体１３は、正極芯体、負極芯体およびセパレータ（いずれも図示せず）を有し、正極芯体および負極芯体は、セパレータを介して巻回される。電極体１３の両端には、負極芯体露出部１１および正極芯体露出部１２がそれぞれ設けられる。
【００１９】
負極芯体露出部１１は、集電体５０を介して外部端子３０Ｂに電気的に接続される。正極芯体露出部１２は、集電体５１および後述する電流遮断機構１０１を介して外部端子３０Ａに電気的に接続される。
【００２０】
絶縁フィルム９０は、筐体１０の内部に配置されている。絶縁フィルム９０は、電極体１３と筐体１０との間に設けられている。絶縁フィルム９０は、電極体１３と筐体１０とが短絡することを防止する。なお、絶縁フィルム９０の詳細については、図４から図６を用いて後述する。
【００２１】
図２に示すように、二次電池１００は、負極側においては、ガスケット２０Ｂおよび絶縁部材６０Ｂをさらに備える。
【００２２】
ガスケット２０Ｂは、外部端子３０Ｂと封口体２５との間に介挿されている。ガスケット２０Ｂは、絶縁性材料から形成されており、封口体２５と外部端子３０Ｂとの間を電気的に絶縁している。ガスケット２０Ｂは、外部端子３０Ｂと封口体２５との間を液密に維持する。
【００２３】
絶縁部材６０Ｂは、封口体２５と集電体５０との間に介挿されている。絶縁部材６０Ｂは、封口体２５と集電体５０との間を電気的に絶縁している。
【００２４】
図２および図３に示すように、二次電池１００は、正極側においては、ガスケット２０Ａ、絶縁部材６０Ａ、電流遮断機構１０１（具体的には、導電性部材７０および反転板４０）、および集電体ホルダ８０をさらに備える。
【００２５】
ガスケット２０Ａは、外部端子３０Ａと封口体２５との間に介挿されている。ガスケット２０Ａは、絶縁性材料から形成されており、封口体２５と外部端子３０Ａとの間を電気的に絶縁している。ガスケット２０Ａは、外部端子３０Ａと封口体２５との間を液密に維持する。
【００２６】
外部端子３０Ａは、円筒部３１、フランジ部３２およびかしめ部３３を含む。円筒部３１は、仮想上の中心軸１０２を中心に筒状に伸びる形状を有する。フランジ部３２は、円筒部３１の外周面から封口体２５に平行な方向に突出している。フランジ部３２は、封口体２５とともにガスケット２０Ａを挟み込む。
【００２７】
かしめ部３３は、封口体２５に設けられた貫通孔２５ｍに円筒部３１の一端部側を挿通した後に、これをかしめることによって形成される。かしめ部３３と封口体２５との間に、絶縁部材６０Ａおよび電流遮断機構１０１の導電性部材７０が挟持されている。
【００２８】
絶縁部材６０Ａは、封口体２５と電流遮断機構１０１との間に設けられている。具体的には、絶縁部材６０Ａは、封口体２５と導電性部材７０との間に設けられている。絶縁部材６０Ａは、封口体２５と導電性部材７０とを電気的に絶縁している。
【００２９】
絶縁部材６０Ａは、平板部６１、外周壁部６２、および引掛部６３を含む。平板部６１は、封口体２５に平行となるように延在する。外周壁部６２は、平板部６１の外周端部から垂下するように設けられている。外周壁部６２は、封口体２５から離れるように設けられている。
【００３０】
引掛部６３は、外周壁部６２の外周面から外側に突出するように設けられている。引掛部６３は、絶縁フィルム９０の上端側を引っ掛け可能に構成されている。引掛部６３には、絶縁部材６０Ａの外側に向けて絶縁フィルム９０が移動すること規制する移動規制手段６４が設けられている。移動規制手段６４は、たとえば、引掛部６３の端部から封口体２５側に向けて突出する突起によって構成されている。なお、移動規制手段６４は、突起に限定されず、溝部によって構成されてもよく、絶縁部材６０Ａの外側に向かうにつれて封口体２５に近づくように傾斜する傾斜面等によって構成されていてもよい。また、熱溶着等により、絶縁フィルム９０を絶縁部材６０Ａに固定してもよい。
【００３１】
導電性部材７０は、外部端子３０Ａと反転板４０とを電気的に接続する。導電性部材７０は、反転板４０を覆うように設けられている。導電性部材７０は、たとえばアルミニウム、アルミニウム合金等の金属材料によって構成されている。
【００３２】
導電性部材７０は、プレート部７１、筒状部７２、および鍔部７３を含む。プレート部７１は、絶縁部材６０Ａの平板部６１に接触しつつこれに平行となるように延在する。筒状部７２は、プレート部７１の外周端部から垂下するように設けられている。筒状部７２は、絶縁部材６０Ａの平板部６１から離れるように設けられている。筒状部７２は、絶縁部材６０Ａの外周壁部６２の内部に収まるように設けられている。鍔部７３は、プレート部７１の反対側に位置する筒状部７２の端部の周縁に位置する。鍔部７３は、環状の形状を有している。
【００３３】
反転板４０は、導電性材料から形成されている。反転板４０は、円形の平面視を有する薄板形状を有する。反転板４０は、筐体１０の内圧が上昇した場合に集電体５１から離れて外部端子３０Ａに近づくように変形する。
【００３４】
反転板４０は、中央部４１と周縁部４２を含む。反転板４０の中央部４１は、後述する集電体５１の薄肉部５５に接続される。反転板４０の周縁部４２は、導電性部材７０の鍔部７３の内側に接続されている。反転板４０の中央部４１および周縁部４２は、溶着によって集電体５１および導電性部材７０に接続されている。
【００３５】
集電体ホルダ８０は、集電体５１を保持する。集電体ホルダ８０は、底板部８１、側壁部８２、係合部８３、係合突起８４、および貫通孔８５を含む。
【００３６】
底板部８１は、封口体２５に略平行となるように設けられている。側壁部８２は、底板部８１の外周端部から封口体２５側に起立するように設けられている。
【００３７】
係合部８３は、封口体２５側に位置する側壁部８２の端部に設けられている。係合部８３は、導電性部材７０の鍔部７３に係合する。これにより、集電体ホルダ８０が導電性部材７０に保持される。
【００３８】
係合突起８４は、電極体１３側に向けて突出するように底板部８１に設けられている。係合突起８４は、後述する集電体５１の係合孔５７に係合している。これにより、集電体５１が集電体ホルダ８０に保持される。
【００３９】
貫通孔８５は、底板部８１の中央部に設けられている。貫通孔８５は、反転板４０の中央部４１を集電体５１に接続させるため部位である。貫通孔８５は、反転板４０の中央部４１を受け入れ可能に設けられている。
【００４０】
集電体５１は、集電板５２、連結部５３、集電タブ５４（図４参照）、薄肉部５５、開口部５６、および係合孔５７を含む。集電板５２は、平板形状を有する。集電板５２の中部には開口部５６が設けられている。開口部５６の外側に係合孔５７が設けられている。
【００４１】
連結部５３は、集電板５２の一方側に接続されている。連結部５３は、封口体２５から離れる方向に延在する。連結部５３は、集電板５２と集電タブ５４とを連結する。集電タブ５４は、正極芯体露出部１２を挟み込むように設けられている。これにより、集電体５１と電極体１３とが電気的に接続される。
【００４２】
薄肉部５５は、集電体５１のその他の部位よりも薄肉に形成されている。薄肉部５５は、開口部５６を規定する集電板５２の内周面から内側に向けて突出する。
【００４３】
（電流遮断機構の動作）
図３を参照して、集電体５１、反転板４０および導電性部材７０によって電流遮断機構が構成されている。
【００４４】
電流遮断機構が作動する前の二次電池１００の通常の使用状態においては、反転板４０は、中央部４１が集電体５１に向かって突出した形状を有する。集電体５１は、反転板４０、および導電性部材７０を通って外部端子３０Ａに電気的に接続されている。
【００４５】
電流遮断機構が作動する前には、電流は、集電体５１（薄肉部５５）、反転板４０（中央部４１）および導電性部材７０および外部端子３０Ａの順に流れる。これにより、二次電池１００から外部へ電力が供給される。
【００４６】
一方、充電時にはこれと逆方向に電流が流れる。筐体１０の内圧が上昇した場合には、反転板４０の中央部４１が筐体１０内の気体に押圧される。筐体１０の内圧は、中央部４１に加えられる。ここで、中央部４１に接続される集電体５１の薄肉部５５は、集電体５１の他の部分（厚肉部など）と比較して低い剛性を有している。
【００４７】
筐体１０の内圧が設定値（作動圧）よりも高くなった場合には、薄肉部５５が破壊され、反転板４０の中央部４１は破壊された薄肉部５５とともに集電体５１から離れ、外部端子３０Ａに近づくように変形する。これにより、外部端子３０Ａと集電体５１との電気的な導通が遮断される。
【００４８】
（絶縁フィルム）
図４は、図２に示す絶縁フィルムの固定状態を示す概略断面図である。図５は、図２に示す絶縁フィルムの固定状態を示す概略平面図である。図６は、図２に示す絶縁フィルムの展開図である。図２から図６を参照して、絶縁フィルム９０について説明する。なお、図５においては、便宜上のため、絶縁部材６０Ａ，６０Ｂ、絶縁フィルム９０および収容ケース１５のみを図示し、その他の構成については省略している。
【００４９】
図２から図５に示すように、絶縁フィルム９０は、一端側に開口９０ａを有し、他端側に底部９５を有する袋状の形状を有する。絶縁フィルム９０は、内部に電極体１３を収容する。
【００５０】
絶縁フィルム９０は、封口体２５に向けて開口している。絶縁フィルム９０は、主面部９１，９２、側面部９３，９４、および底部９５を有する。主面部９１，９２は、二次電池１００の短手方向に対向する。側面部９３，９４は、二次電池１００の長手方向に対向する。底部９５は、封口体２５が位置する側とは反対側に位置する主面部９１，９２および側面部９３，９４の端部を接続する。
【００５１】
外部端子３０Ａが位置する側と反対側に位置する電極体１３の端部に絶縁フィルム９０の底部９５が当接した状態で、絶縁フィルム９０の一端側は、絶縁部材６０Ａに固定されている。
【００５２】
具体的には、絶縁フィルム９０の一端側には、４つの穴部９６（図６参照）が設けられ、これら４つの穴部９６が、絶縁部材６０Ａに設けられた引掛部６３および絶縁部材６０Ｂに設けられた６５に引掛けられている。なお、絶縁部材６０Ｂに設けられた引掛部６５は、絶縁部材６０Ａに設けられた引掛部６３とほぼ同様に構成されている。
【００５３】
４つの穴部９６のうち二次電池１００の長手方向の一方側に設けられた２つの穴部９６は、引掛部６３に引掛けられている。４つの穴部９６のうち二次電池１００の長手方向の他方側に設けられた２つの穴部９６は、引掛部６５に引掛けられている。この状態においては、絶縁フィルム９０の底部９５が電極体１３の端部に当接している。
【００５４】
図６は、図２に示す絶縁フィルムの展開図である。図６に示すように、絶縁フィルム９０は、展開された状態においては、底部９５を間に挟むように主面部９１，９２が配置され、主面部９２の両側に側面部９３，９４が配置される。さらに、側面部９３，９４の外側にそれぞれ接合部９８ａ，９８ｂが配置される。また、底部９５の両側に、接合部９７ａ，９７ｂが配置される。
【００５５】
主面部９１，９２と底部９５との境界部には、折り曲げ線Ｌ１，Ｌ２が設けられている。側面部９３，９４と主面部９２との境界部には、折り曲げ線Ｌ３，Ｌ４が設けられている。側面部９３，９４と接合部９８ａ，９８ｂとの境界部には、折り曲げ線Ｌ５，Ｌ６が設けられている。接合部９７ａ，９７ｂと底部９５との境界部には、折り曲げ線Ｌ７，Ｌ８が設けられている。
【００５６】
これら主面部９１，９２、側面部９３，９４、接合部９８ａ，９８ｂおよび接合部９７ａ，９７ｂを、折り曲げ線Ｌ１，Ｌ２，Ｌ３，Ｌ４，Ｌ５，Ｌ６，Ｌ７，Ｌ８に沿って谷折りし、接合部９８ａ，９８ｂを主面部９２に接合するとともに、接合部９７ａ，９７ｂを側面部９３，９４に接合することにより、袋状の絶縁フィルム９０が形成される。
【００５７】
なお、絶縁フィルム９０の材質としては、ポリプロピレン、ポリエチレンテトラフルオロエチレン、ポリフェニレンサルファイド、ポリエチレンテレフタレート等、絶縁性を有しつつ、電解液により変質しない樹脂部材を好適に用いることができる。
【００５８】
以上のように、本実施の形態に係る二次電池１００にあっては、集電体５１に接続された電極体１３を絶縁フィルム９０によって支持した構造となる。より具体的には、外部端子３０Ａが位置する側とは反対側に位置する電極体１３の端部に絶縁フィルム９０の底部９５が当接した状態で、絶縁フィルム９０の一端側が絶縁部材６０Ａに固定されることにより、電極体１３を絶縁フィルム９０によって支持している。
【００５９】
これにより、電極体１３の荷重を絶縁フィルム９０側と集電体５１側とに分散することができ、反転板４０が接続される集電体５１の薄肉部５５に加わる電極体１３の荷重を軽減させることができる。
【００６０】
また、電極体１３を絶縁フィルム９０によって支持することにより、車両が大きく振動した場合であっても、電極体１３が振動することを抑制できる。これにより、振動によって薄肉部５５に作用する引張応力を抑制することができる。
【００６１】
このように、電極体１３の荷重を分散するとともに、振動による引張応力を抑制することにより、薄肉部５５が過度に引っ張られることを抑制することができる。この結果、薄肉部５５の変形を抑制でき、電流遮断機構１０１の作動性が低下することを抑制することができる。
【００６２】
（比較例）
図７は、比較例における二次電池の断面図である。図７を参照して、比較例における二次電池１００Ｘについて説明する。
【００６３】
図７に示すように、比較例における二次電池１００Ｘは、実施の形態に係る二次電池１００と比較した場合に、絶縁フィルム９０Ｘの底部９５が、外部端子３０Ａ，３０Ｂが位置する側とは反対側に位置する電極体１３の端部に当接していない点において相違する。その他の構成については、実施の形態とほぼ同様である。
【００６４】
このような構成においては、電極体１３の自重の全てが、正極集電体および負極集電体に加えられることとなり、反転板４０が接続される集電体５１の薄肉部５５にも相当程度の荷重が加えられる。また、車両の振動により電極体１３が振動した場合には、電極体１３が振動することにより、引張応力が、上記薄肉部にさらに加えられる。
【００６５】
電池要素の自重および振動による引張応力によって薄肉部が過度に引っ張られる場合には、薄肉部が変形してしまう。このような場合には、筐体１０の内圧が、設計によって予め決定された所定の値に到達する前に、反転板４０が反転してしまい、電流遮断機構１０１の作動性が低下してしまう。
【００６６】
（検証実験）
図８は、実施例に係る二次電池および比較例における二次電池の電流遮断機構の作動圧の低下量を示す図である。
【００６７】
実施例に係る二次電池として、上述の実施の形態に係る二次電池を準備するとともに、上述の比較例における二次電池を準備し、これら二次電池の電流遮断機構が作動する圧力を測定した。
【００６８】
比較例における二次電池においては、設計によって予め決定された所定の値よりも０．１４ＭＰａ低い圧力で電流遮断機構が作動したのに対して、実施例に係る二次電池においては、設計によって予め決定された所定の値よりも０．０３ＭＰａ低い圧力で電流遮断機構が作動した。
【００６９】
このように、実施例における二次電池にあっては、比較例における二次電池と比較して、電流遮断機構の作動圧が低下することが抑制され、電流遮断機構の作動性が低下することが抑制された。
【００７０】
以上のように、外部端子３０Ａが位置する側とは反対側に位置する電極体１３の端部に絶縁フィルム９０の底部９５が当接した状態で、絶縁フィルム９０の一端側が絶縁部材６０Ａに固定された構成とすることにより、電流遮断機構の作動性が低下することを抑制できることが実験的にも確認されたと言える。
【００７１】
なお、上述した実施の形態においては、電流遮断機構が正極側に設けられる場合を例示して説明したが、これに限定されず、負極側に設けられていてもよいし、正極側および負極側の両方に設けられていてもよい。
【００７２】
以上、本発明の実施の形態について説明したが、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【００７３】
１０  筐体、１１  負極芯体露出部、１２  正極芯体露出部、１３  電極体、１５  収容ケース、１６  開口部、２０Ａ，２０Ｂ  ガスケット、２５  封口体、２５ｍ  貫通孔、３０Ａ，３０Ｂ  外部端子、３１  円筒部、３２  フランジ部、３３  かしめ部、４０  反転板、４１  中央部、４２  周縁部、５０，５１  集電体、５２  集電板、５３  連結部、５４  集電タブ、５５  薄肉部、５６  開口部、５７  係合孔、６０  絶縁板、６０Ａ，６０Ｂ  絶縁部材、６１  平板部、６２  外周壁部、６３  引掛部、６４  移動規制手段、６５  引掛部、７０  導電性部材、７１  プレート部、７２  筒状部、７３  鍔部、８０  集電体ホルダ、８１  底板部、８２  側壁部、８３  係合部、８４  係合突起、８５  貫通孔、９０，９０Ｘ  絶縁フィルム、９０ａ  開口、９１，９２  主面部、９３，９４  側面部、９５  底部、９６  穴部、９７ａ，９７ｂ，９８ａ，９８ｂ  接合部、１００，１００Ｘ  二次電池、１０１  電流遮断機構、１０２  中心軸。
【図１】
2017147116.tif 000003
【図２】
2017147116.tif 000004
【図３】
2017147116.tif 000005
【図４】
2017147116.tif 000006
【図５】
2017147116.tif 000007
【図６】
2017147116.tif 000008
【図７】
2017147116.tif 000009
【図８】
2017147116.tif 000010